(57)【特許請求の範囲】
【請求項１】
電子写真方式における画像担持体上の潜像を顕像化してトナー像を形成するトナーの架橋状態の発生を防止して画像を形成する画像形成装置において、
形成画像を担持する画像担持体と、
上記画像担持体上に形成された潜像を顕像化してトナー像を形成する現像手段と、
上記現像手段で形成されたトナー像を被転写体に転写する転写手段と、
上記転写手段で転写した後に上記画像担持体又は上記転写手段に付着して残留する残留トナーを回収するクリーニング手段と、
上記クリーニング手段で回収した回収トナー又は補給した新規トナーを吐出する吐出手段と、
上記吐出手段の吐出口から吐出されたトナーを排出する排出手段と、
上記吐出手段の吐出口から吐出されたトナーを斜め下方に配置された上記排出手段の排出口に搬送する搬送ハウジングと、
上記搬送ハウジング内に配置された薄板形状の揺動板部材上でトナーが上記吐出口から斜め下方に配置された上記排出口に搬送されて形成されるトナー搬送経路と、
上記揺動板部材の下端部におけるトナー搬送経路に対して横方向へ外れた箇所に、該揺動板部材を揺動させるための駆動力を伝達する揺動駆動手段とを有し、
上記揺動駆動手段を上記搬送ハウジング内のトナー搬送経路から隔離した位置に配置したことを特徴とする画像形成装置。
【請求項２】
請求項１に記載の画像形成装置において、
上記揺動板部材は、上記搬送ハウジングの内壁の傾斜面に点接触保持部で点接触で保持されることを特徴とする画像形成装置。
【請求項３】
請求項１又は２に記載の画像形成装置において、
上記揺動板部材が揺動することにより発生する衝撃を緩和する衝撃吸収手段を有することを特徴とする画像形成装置。
【請求項４】
請求項３に記載の画像形成装置において、
上記衝撃吸収手段は、上記搬送ハウジングと一体的に設けて固定した固定係止部材と、上記揺動板部材と一体的に設けて揺動する揺動係止部材と、上記固定係止部材と上記揺動係止部材との間に配置される衝撃吸収部材とから構成されていることを特徴とする画像形成装置。
【請求項５】
請求項３又は４に記載の画像形成装置において、
上記衝撃吸収手段は、上記搬送ハウジング内のトナー搬送経路から隔離した位置に配置したことを特徴とする画像形成装置。
【請求項６】
請求項１、２、３、４又は５に記載の画像形成装置において、
上記揺動駆動手段は、回転駆動軸と、上記回転駆動軸と一体で回転する偏心カムとで構成されていることを特徴とする画像形成装置。
【請求項７】
請求項６に記載の画像形成装置において、
上記偏心カムは、段差付き偏心カムであることを特徴とする画像形成装置。
【請求項８】
請求項１、２、３、４、５、６又は７に記載の画像形成装置において、
上記排出手段は、搬送スクリュで構成されていることを特徴とする画像形成装置。
【請求項９】
請求項６又は７に記載の画像形成装置において、
上記排出手段は、搬送スクリュで構成されており、
上記回転駆動軸は、上記搬送スクリュと一体的に回転駆動されることを特徴とする画像形成装置。
【発明の詳細な説明】
【０００１】
【発明の属する技術分野】
本発明は、画像形成装置に関し、更に詳しくは、電子写真方式における画像担持体上の潜像を顕像化してトナー像を形成するトナーの架橋状態の発生を防止して画像を形成する複写機、ファクシミリ装置、プリンターあるいはこれらの複合機等の画像形成装置に関する。
【０００２】
【従来の技術】
電子写真方式における乾式１成分、又は、乾式２成分のトナーを用いた複写機、ファクシミリ装置、プリンターあるいはこれらの複合機等の画像形成装置においては、新規トナーの補給のみならず、いったんは画像担持体の感光体上に転移しながら、被転写体上に転写されなかった残留トナーを、クリーニング手段で回収した後、その回収トナーを再び現像器に搬送して再使用するリサイクル現像により画像形成が行われるようにもなっている。
画像担持体のドラム形状の感光体に付着した残留トナーをクリーニング装置で掻き取って、回収した回収トナーを、搬送パイプ内において回転する搬送スクリユのコンベアで現像ホッパ内に搬送して、その回収トナーを再び現像器に戻して再使用するリサイクル現像により画像形成を行うことは公知である（特開平６−１７５４８８号の公報を参照）。
画像形成装置の現像手段から離れた位置に別体に設けられたトナー貯留手段に貯留されたトナーを供給するトナー供給手段より、現像手段にトナーを空気との混合気としてスクリューポンプで搬送するようにして、設置場所の制約が少なく、レイアウト上の自由度が拡大するため、静電潜像に対向してユニット状に構成される現像手段を小型化し、構成を容易とし、経済的なトナー収納容量の確保とトナー補給の作業性の向上、組み付け・調整等の作業性の向上を図ることも公知である（特開平７−２１９３２９号等の公報を参照）。
然し、特に、トナーの粘性が高まりやすい高温高湿の環境下で長期間に渡り使用され省資源のために再使用される回収トナーをトナー搬送経路中の接続手段等のハウジングの吐出開口から吐出すると、吐出開口に対向する部分に、トナーが付着し成長して、トナーの架橋状態が発生していた。
そこで、このようなトナー搬送経路内におけるトナーが付着して成長するトナーの架橋状態の発生を防止するために、トナー搬送経路内に揺動攪拌手段の針金等を設けて、トナー架橋状態が短時間で発生するのでなければ定期メンテナンス時等に揺動攪拌手段の針金等を手動で前後左右に揺動して攪拌したり、トナー架橋状態が短時間で発生するのであれば攪拌搬送手段の回転駆動でトナーを搬送するフインと揺動攪拌手段の針金等を接触摺動させて短時間に前後左右に揺動するようにして、トナー架橋状態の発生を防止することも公知である（特開平１１−２３１６５５号の公報を参照）。
【０００３】
図６は従来のトナー搬送経路の一例を示す断面図であり、更に、トナーを搬送するトナー搬送経路のレイアウトの都合により、吐出手段１０５の吐出口１０５ａから吐出されたトナー（Ｔ）を斜め下方に配置された排出手段１０６の排出口１０６ａに搬送する搬送ハウジング１０７の吐出口１０５ａからトナー（Ｔ）が吐出して落下する傾斜面１０７ａにトナー（Ｔ）の図示のような架橋状態（ｔ）が短時間に発生することを防止するために、トナー搬送経路１０８のトナー（Ｔ）が吐出して落下する傾斜面１０７ａに揺動板部材１０９を設けて、揺動板部材１０９を回転駆動でトナー（Ｔ）を搬送する搬送スクリュ１０６ｂと一体で回転する偏心カム１１０と摺動部で摺動して揺動駆動することも同一出願人の発明者等からも提案されている。
従来の、このような画像形成装置においては、トナー搬送経路のトナーが吐出して落下する傾斜面に揺動板部材を設けて、揺動板部材と回転駆動でトナーを搬送するフインや搬送スクリュと一体で回転する偏心カムとの摺動部で摺動して揺動板部材を揺動駆動して、トナーの架橋状態が短時間に発生することを防止すると、揺動板部材と回転駆動でトナーを搬送するフインや搬送スクリュと一体で回転する偏心カムとの摺動部でトナーが挟まれて加圧され加熱されたりして凝縮してトナー凝縮塊となり、形成される画像が異常画像となり、画像品質が低下すると言う不具合が生じていた。
【０００４】
【発明が解決しようとする課題】
前述した従来のかかる画像形成装置は、トナー搬送経路のトナーが吐出して落下する傾斜面に揺動板部材を設けて、揺動板部材と回転駆動でトナーを搬送するフインや搬送スクリュと一体で回転する偏心カムとの摺動部で摺動して揺動板部材を揺動駆動して、トナーの架橋状態が短時間に発生することを防止すると、揺動板部材と回転駆動でトナーを搬送するフインや搬送スクリュと一体で回転する偏心カムとの摺動部でトナーが挟まれて加圧され加熱されたりして凝縮してトナー凝縮塊となり、形成される画像が異常画像となり、画像品質が低下すると言う問題が発生していた。
そこで本発明の課題は、このような問題点を解決するものである。即ち、トナー搬送経路内のトナーが吐出して落下する傾斜面におけるトナーの架橋状態の短時間の発生と、トナーの架橋状態を防止する摺動部でのトナーが挟まれて加圧され加熱されたりして凝縮するトナー凝縮塊の発生とを共に防止して高品質の画像が形成される画像形成装置を提供することを目的とする。
【０００５】
【課題を解決するための手段】
上記目的を達成するために、請求項１の本発明は、電子写真方式における画像担持体上の潜像を顕像化してトナー像を形成するトナーの架橋状態の発生を防止して画像を形成する画像形成装置において、形成画像を担持する画像担持体と、上記画像担持体上に形成された潜像を顕像化してトナー像を形成する現像手段と、上記現像手段で形成されたトナー像を被転写体に転写する転写手段と、上記転写手段で転写した後に上記画像担持体又は上記転写手段に付着して残留する残留トナーを回収するクリーニング手段と、上記クリーニング手段で回収した回収トナー又は補給した新規トナーを吐出する吐出手段と、上記吐出手段の吐出口から吐出されたトナーを排出する排出手段と、上記吐出手段の吐出口から吐出されたトナーを斜め下方に配置された上記排出手段の排出口に搬送する搬送ハウジングと、上記搬送ハウジング内に配置された薄板形状の揺動板部材上でトナーが上記吐出口から斜め下方に配置された上記排出口に搬送されて形成されるトナー搬送経路と、上記揺動板部材の下端部におけるトナー搬送経路に対して横方向へ外れた箇所に、該揺動板部材を揺動させるための駆動力を伝達する揺動駆動手段とを有し、上記揺動駆動手段を上記搬送ハウジング内のトナー搬送経路から隔離した位置に配置したことを最も主要な特徴とする。
【０００６】
請求項２の本発明は、請求項１に記載の画像形成装置において、上記揺動板部材は、上記搬送ハウジングの内壁の傾斜面に点接触保持部で点接触で保持されることを特徴とする。
請求項３の本発明は、請求項１又は２に記載の画像形成装置において、
上記揺動板部材が揺動することにより発生する衝撃を緩和する衝撃吸収手段を有することを特徴とする。
請求項４の本発明は、請求項３に記載の画像形成装置において、上記衝撃吸収手段は、上記搬送ハウジングと一体的に設けて固定した固定係止部材と、上記揺動板部材と一体的に設けて揺動する揺動係止部材と、上記固定係止部材と上記揺動係止部材との間に配置される衝撃吸収部材とから構成されていることを特徴とする。
請求項５の本発明は、請求項３又は４に記載の画像形成装置において、上記衝撃吸収手段は、上記搬送ハウジング内のトナー搬送経路から隔離した位置に配置したことを特徴とする。
請求項６の本発明は、請求項１、２、３、４又は５に記載の画像形成装置において、上記揺動駆動手段は、回転駆動軸と、上記回転駆動軸と一体で回転する偏心カムとで構成されていることを特徴とする。
請求項７の本発明は、請求項６に記載の画像形成装置において、上記偏心カムは、段差付き偏心カムであることを特徴とする。
請求項８の本発明は、請求項１、２、３、４、５、６又は７に記載の画像形成装置において、上記排出手段は、搬送スクリュで構成されていることを特徴とする。
請求項９の本発明は、請求項６又は７に記載の画像形成装置において、上記排出手段は、搬送スクリュで構成されており、上記回転駆動軸は、上記搬送スクリュと一体的に回転駆動されることを特徴とする。
【０００７】
【作用】
請求項１乃至９に記載の発明においては、画像担持体上に形成された潜像を顕像化してトナー像を形成する現像手段で形成されたトナー像を被転写体に転写する転写手段で転写した後に画像担持体又は転写手段に付着して残留する残留トナーを回収するクリーニング手段で回収した又は補給した新規のトナーを吐出する吐出手段の吐出口から吐出されたトナーを排出する排出手段の吐出口から吐出されたトナーを斜め下方に配置された排出手段の排出口に搬送する搬送ハウジング内のトナーが吐出口から斜め下方に配置された排出口に搬送されて形成されるトナー搬送経路を揺動してトナーの架橋状態の発生を防止する揺動板部材を揺動させるための駆動力を伝達する揺動駆動手段を、搬送ハウジング内のトナー搬送経路から隔離するようにして、トナー搬送経路内のトナーが吐出して落下する傾斜面におけるトナーの架橋状態の短時間の発生と、トナーの架橋状態を防止する摺動部でのトナーが凝縮してトナー凝縮塊の発生とを共に防止して高品質の画像が形成される画像形成装置を提供することが出来るようにする。
【０００８】
請求項２においては、揺動板部材を搬送ハウジングの内壁の傾斜面に点接触保持部で点接触で保持されるようにして、薄板形状を揺動するだけの簡単な構造で、トナーの架橋状態の発生を防止することが出来るトナー搬送経路内のトナーが吐出して落下する傾斜面におけるトナーの架橋状態の短時間の発生と、トナーの架橋状態を防止する摺動部でのトナーが凝縮してトナー凝縮塊の発生とを共に防止して高品質の画像が形成される画像形成装置を提供することが出来るようにする。
請求項３においては、揺動板部材が揺動することにより発生する揺動による衝撃を衝撃吸収手段により緩和するようにして、騒音の発生や振動による異常画像の発生を防止して、高品質の画像が形成される画像形成装置を提供することが出来るようにする。
【０００９】
請求項４においては、簡単な構成で騒音の発生や振動による異常画像の発生を防止して、高品質の画像が形成される画像形成装置を提供することが出来るようにする。
請求項５においては、搬送ハウジング内のトナー搬送経路から隔離した位置に配置した衝撃吸収手段により揺動による衝撃を緩和するようにして、騒音の発生や振動による異常画像の発生を防止して、高品質の画像が形成される画像形成装置を提供することが出来るようにする。
【００１０】
請求項６においては、小型の構成で、トナー搬送経路内のトナーが吐出して落下する傾斜面におけるトナーの架橋状態の短時間の発生とトナーの架橋状態を防止する摺動部でのトナーが凝縮してトナー凝縮塊の発生とを共に防止して高品質の画像が形成される画像形成装置を提供することが出来るようにする。
請求項７においては、トナーの架橋状態を防止する摺動部でのトナーが凝縮してトナー凝縮塊の発生とを共に確実に防止して高品質の画像が形成される画像形成装置を提供することが出来るようにする。
【００１１】
請求項８においては、トナーが確実に排出されて搬送される画像形成装置を提供することが出来るようにする。
請求項９においては、回転駆動源を兼用にして小型での構成で、トナー搬送経路内のトナーが吐出して落下する傾斜面におけるトナーの架橋状態の短時間の発生と、トナーの架橋状態を防止する摺動部でのトナーが凝縮してトナー凝縮塊の発生とを共に防止して高品質の画像が形成される画像形成装置を提供することが出来るようにする。
【００１２】
【発明の実施の形態】
次に、本発明の実施の形態を図面を参照して詳細に説明する。
図１と図２において、本件発明の画像形成装置の電子写真方式の複写機は、画像記録情報に基づいてトナー画像を被転写体（Ｐ）の転写紙上に形成するプリンター本体部０と、原稿（Ｏ）の原稿画像の読み取りを行うスキャナー部３０と、上記スキャナー部３０よりデジタル信号として出力される画像信号を電気的に処理する画像記録処理部５０とからなる。
上記プリンター本体部０は、回動可能に支持された画像担持体１の図示の矢印Ａ方向に回動するドラム形状の感光体と、上記画像担持体１のドラム形状の感光体の近傍には、上記画像担持体１のドラム形状の感光体に近接し、上記画像担持体１のドラム形状の感光体上面を均一に帯電させる帯電手段１５の帯電ローラ，露光手段１６、現像手段２、転写手段３の転写帯電ローラ等が付設されている。上記スキャナー部３０は、原稿積載台３１上の原稿（Ｏ）を照射するランプ３２の蛍光灯を有する。上記ランプ３２の照射により得られる原稿（Ｏ）からの反射光は、ミラー群３３のミラー３３ａ、ミラー３３ｂ、ミラー３３ｃにより反射され、結像レンズ３４に入射される。
上記結像レンズ３４を通り画像光として受光器３５の、例えば、ＣＣＤに入射した光をデジタル信号に変換して出力し、その出力は、上記画像記録処理部５０において必要な処理をほどこして、画像の記録形成用の信号に変換され、画像の記録形成用の信号は画像情報として画像情報蓄積装置１７に書き込み保存されるようになっている。
上記画像情報蓄積装置１７に一旦書き込み保存された画像情報は再び出力され、上記プリンター本体部０に入力されて上記露光手段１６に送られる。
上記帯電手段１５により帯電した上記画像担持体１のドラム形状の感光体上面には、上記露光手段１６であるレーザー光出射装置による露光により、静電潜像が形成される。この潜像は、上記現像手段２により、新規に補給される新規のトナー（Ｔｎ）のみならず、回収したトナー（Ｔ）を再使用するトナー（Ｔ）として再使用して現像され、顕像化、すなわちトナー像になる。
【００１３】
給紙部１８は、給紙コロ１８ａ、給紙コロ１８ｂにより，例えば、２つの給紙カセットの何れかから供給される被転写体（Ｐ）の転写紙は、レジストローラ１９により先端がそろえられ、タイミングをあわせて転写領域に送られる。
上記転写手段３の転写帯電ローラにより、上記画像担持体１のドラム形状の感光体上面に形成されたトナー像は被転写体（Ｐ）の転写紙上に転写される。
顕像のトナー像が転写された被転写体（Ｐ）の転写紙は、上記画像担持体１のドラム形状の感光体上面から分離され、上記転写手段３の転写搬送ベルト３ａで、定着手段２０の定着位置に搬送されて、上記定着手段２０により顕像のトナー像が定着され、排紙ローラ２１により排紙されてトレイ上などに収納されるようになっている。
上記画像担持体１のドラム形状の感光体上面に形成されたトナー像を被転写体（Ｐ）の転写紙上にトナー像を転写した後に、クリーニング手段４の感光体クリーニングブレード４ａは上記画像担持体１のドラム形状の感光体上面を、転写クリーニングブレード４ｂは上記転写搬送ベルト３ａ上面に付着して残ったトナー（Ｔ）を掻き落して回収トナー（Ｔ）として回収されるようになっている。
上記クリーニング手段４の上記感光体クリーニングブレード４ａによって、上記画像担持体１のドラム形状の感光体上面に付着して残った残留トナーを掻き落して回収した回収トナー（Ｔ）、又は、上記現像手段２から離れた位置に配置されて新規のトナー（Ｔ）を貯留するトナー供給装置２２から搬送された新規のトナー（Ｔ）は、吐出手段５の吐出口５ａから搬送スクリュ５ｂの回転駆動により搬送ハウジング７内に吐出され斜め下方に配置された排出手段６の排出口６ａから搬送スクリュ６ｂの回転駆動により他端が上記現像手段２の現像ホッパ２ａに連通された中空管形状のチューブ２３内に搬送されて、上記チューブ２３の途中に接続された紛体ポンプ２４の吸入動作と排出動作により、上記現像手段２の現像ホッパ２ａに搬送されて、上記現像手段２により上記画像担持体１のドラム形状の感光体上面に形成された潜像の顕像化のトナー像の形成に使用されるようになっている。
上記搬送ハウジング７内のトナー（Ｔ）の上記吐出口５ａから斜め下方に配置された上記排出口６ａに搬送されるトナー搬送経路８を揺動してトナー（Ｔ）の架橋状態（ｔ）の発生を防止する揺動手段９の揺動板部材９ａは、上記搬送ハウジング７の内壁の上記傾斜面７ａに点接触保持部１２で点接触で保持されて（図４を参照）、上記搬送ハウジング７内の上記トナー搬送経路８から隔離した位置の揺動駆動手段配置部１１に配置された揺動駆動手段１０で揺動駆動するようになっている。
従って、上記トナー搬送経路８内のトナー（Ｔ）が吐出して落下する上記傾斜面７ａにおけるトナー（Ｔ）の架橋状態（ｔ）の短時間の発生と、トナー（Ｔ）の架橋状態（ｔ）の発生を防止する上記揺動駆動手段１０で揺動駆動する摺動部でのトナー（Ｔ）が挟まれて加圧され加熱されたりして凝縮するトナー凝縮塊の発生とを共に防止して高品質の画像が形成される画像形成装置を提供することが出来るようにになった。
【００１４】
図２は搬送ハウジング等の側部縦断面図、図３はその正面縦断面図であり、上記揺動手段９は、上記搬送ハウジング７内のトナー（Ｔ）の上記吐出口５ａから斜め下方に配置された上記排出口６ａへ、図示の矢印Ｂ方向へ搬送されて形成される上記トナー搬送経路８の、少なくとも下方に図示の矢印Ｃ方向に揺動可能に配置された薄板形状の揺動板部材９ａであり、簡単な形状の薄板形状の上記揺動板部材９ａをＣ方向へ揺動するだけで、トナー（Ｔ）の架橋状態（ｔ）の発生を防止することが出来る。
上記揺動手段９は、上記搬送ハウジング７と一体的に設けて固定した固定係止部材１３ａと、上記揺動板部材９ａと一体的に設けて揺動する揺動係止部材１３ｂと、上記固定係止部材１３ａと上記揺動係止部材１３ｂとの間に配置されて、揺動による衝撃を吸収する護謨板等の弾性体である衝撃吸収部材１３ｃからなる衝撃吸収手段１３により、騒音の発生、振動による異常画像の発生を防止するようになっている。即ち、揺動板部材９ａの上部適所に形成した開口９Ａ内には搬送ハウジング７の上面に突設した固定係止部材１３ａと、衝撃吸収部材１３ｃが露出（突出）しており、さらに開口９Ａの上端縁には固定係止部材１３ａが前方へ屈曲形成されている。
上記衝撃吸収手段１３は、上記搬送ハウジング７内の上記トナー搬送経路８から隔離した位置の衝撃吸収手段配置部１４に配置されているから、上記揺動手段９の上記揺動板部材９ａの揺動の度に、上記固定係止部材１３ａに接着剤で接着固定された上記衝撃吸収部材１３ｃと上記揺動係止部材１３ｂが数多の当接や摺動を繰り返しても、その当接や摺動は、上記トナー搬送経路８から隔離した位置で行われるので、従来のような、その当接や摺動の際にトナー（Ｔ）が挟まれて加圧され加熱されたりして凝縮してトナー凝縮塊となり、形成される画像が異常画像となり、画像品質が低下すると言う不具合の発生が防止することが出来るようになった。
上記搬送ハウジング７内の上記トナー搬送経路８から隔離した位置の揺動駆動手段配置部１１に配置された揺動駆動手段１０は、上記排出手段６の上記搬送スクリュ６ｂと同軸で回転駆動源を兼用にした回転駆動軸１０ａと、上記回転駆動軸１０ａと一体で回転する偏心カム１０ｂと、上記搬送ハウジング７外の上記回転駆動軸１０ａを図示しない回転駆動源で回転駆動する駆動歯車１０ｃ等からなり、上記揺動手段９の上記揺動板部材９ａの摺動部９ａ1が、引っ張りスプリング９ｂで図示の矢印Ｄ方向に付勢されて上記偏心カム１０ｂのカム面に圧接されている。
【００１５】
図示しない回転駆動源で上記駆動歯車１０ｃを介して、上記回転駆動軸１０ａと一体で回転する上記偏心カム１０ｂを回転駆動するだけで、上記揺動手段９の上記揺動板部材９ａが揺動駆動されて、小型の構成で、トナー（Ｔ）の架橋状態（ｔ）の短時間の発生が防止されるようになっている。
更に、上記偏心カム１０ｂを、図５に図示する形状の段差付き偏心カム１０ｂ1にすることにより、上記揺動手段９の上記揺動板部材９ａが、より効果的に揺動駆動されて、トナー（Ｔ）の架橋状態（ｔ）の短時間の発生が確実に防止されるようになった。
上記揺動駆動手段１０は、上記搬送ハウジング７内の上記トナー搬送経路８から隔離した位置の上記揺動駆動手段配置部１１に配置されているから、上記揺動手段９の上記揺動板部材９ａの揺動の度に、上記摺動部９ａ1が上記偏心カム１０ｂのカム面に圧接して摺動しても、上記摺動部９ａ1と上記偏心カム１０ｂのカム面が圧接し摺動しても、上記トナー搬送経路８から隔離した位置で行われるので、従来のような、摺動の際にトナー（Ｔ）が挟まれて加圧され加熱されたりして凝縮してトナー凝縮塊となり、形成される画像が異常画像となり、画像品質が低下すると言う不具合の発生が防止することが出来るようになった。
【００１６】
【発明の効果】
本発明は、以上説明したように構成されているので、トナー搬送経路内のトナーが吐出して落下する傾斜面におけるトナーの架橋状態の短時間の発生と、トナーの架橋状態を防止する摺動部でのトナーが凝縮してトナー凝縮塊の発生とを共に防止して高品質の画像が形成される画像形成装置を提供することが出来るようになった。
【００１７】
請求項２の発明によれば、揺動板部材を搬送ハウジングの内壁の傾斜面に点接触保持部で点接触で保持されるようにしたので、薄板形状を揺動するだけの簡単な構造で、トナー（Ｔ）の架橋状態（ｔ）の発生を防止することが出来るトナー搬送経路内のトナーが吐出して落下する傾斜面におけるトナーの架橋状態の短時間の発生と、トナーの架橋状態を防止する摺動部でのトナーが凝縮してトナー凝縮塊の発生とを共に防止して高品質の画像が形成される画像形成装置を提供することが出来るようになった。
請求項３の発明によれば、揺動板部材が揺動することにより発生する揺動による衝撃を衝撃吸収手段により緩和するようにしたので、騒音の発生や振動による異常画像の発生を防止して、高品質の画像が形成される画像形成装置を提供することが出来るようになった。
【００１８】
請求項４の発明によれば、簡単な構成で騒音の発生や振動による異常画像の発生を防止して、高品質の画像が形成される画像形成装置を提供することが出来るようになった。
請求項５の発明によれば、搬送ハウジング内のトナー搬送経路から隔離した位置に配置した衝撃吸収手段により揺動による衝撃を緩和するようにしたので、騒音の発生や振動による異常画像の発生を防止して、高品質の画像が形成される画像形成装置を提供することが出来るようになった。
【００１９】
請求項６の発明によれば、小型の構成で、トナー搬送経路内のトナーが吐出して落下する傾斜面におけるトナーの架橋状態の短時間の発生と、トナーの架橋状態を防止する摺動部でのトナーが凝縮してトナー凝縮塊の発生とを共に防止して高品質の画像が形成される画像形成装置を提供することが出来るようになった。
請求項７の発明によれば、トナーの架橋状態を防止する摺動部でのトナーが凝縮してトナー凝縮塊の発生とを共に確実に防止して高品質の画像が形成される画像形成装置を提供することが出来るようになった。
【００２０】
請求項８の発明によれば、トナーが確実に排出されて搬送される画像形成装置を提供することが出来るようになった。
請求項９の発明によれば、回転駆動源を兼用にして小型での構成で、トナー搬送経路内のトナーが吐出して落下する傾斜面におけるトナーの架橋状態の短時間の発生と、トナーの架橋状態を防止する摺動部でのトナーが凝縮してトナー凝縮塊の発生とを共に防止して高品質の画像が形成される画像形成装置を提供することが出来るようになった。
【図面の簡単な説明】
【図１】本発明の実施の形態例を示す画像形成装置を説明する説明図である。
【図２】本発明の実施の形態例を示す画像形成装置の要部を説明する拡大図である。
【図３】図２におけるＸ−Ｘ線の断面図である。
【図４】本発明の実施の形態例を示す画像形成装置の他の主要部を説明する拡大説明図である。
【図５】本発明の他の実施の形態例を示す画像形成装置の主要部を説明する拡大説明図である。
【図６】従来の画像形成装置の主要部を説明する拡大説明図である。
【符号の説明】
０  プリンター本体部
１  画像担持体
２  現像手段、２ａ  現像ホッパ
３  転写手段、３ａ  転写搬送ベルト
４  クリーニング手段、４ａ  感光体クリーニングブレード、
４ｂ  転写クリーニングブレード
５  吐出手段、５ａ  吐出口、
５ｂ  搬送スクリ
６  排出手段、６ａ  排出口、
６ｂ  搬送スクリュ
７  搬送ハウジング、７ａ  傾斜面
８  トナー搬送経路
９  揺動手段、９ａ  揺動板部材、９ａ1  摺動部、
９ｂ  引っ張りスプリング
１０  揺動駆動手段、１０ａ  回転駆動軸、
１０ｂ  偏心カム、１０ｂ1  段差付き偏心カム、
１０ｃ  駆動歯車
１１  揺動駆動手段配置部
１２  点接触保持部
１３  衝撃吸収手段、１３ａ  固定係止部材、
１３ｂ  揺動係止部材、
１３ｃ  衝撃吸収部材
１４  衝撃吸収手段配置部
１５  帯電手段
１６  露光手段
１７  画像情報蓄積装置
１８  給紙部、１８ａ  給紙コロ、
１８ｂ  給紙コロ
１９  レジストローラ
２０  定着手段
２１  排紙ローラ
２２  トナー供給装置
２３  チューブ
２４  紛体ポンプ
３０  スキャナー部
３１  原稿積載台
３２  ランプ
３３  ミラー群、３３ａ  ミラー、
３３ｂ  ミラー、
３３ｃ  ミラー
３４  結像レンズ
３５  受光器
５０  画像記録処理部
１０５  吐出手段、１０５ａ  吐出口
１０６  排出手段、１０６ａ  排出口、
１０６ｂ  搬送スクリュ
１０７  搬送ハウジング、１０７ａ  傾斜面
１０８  トナー搬送経路
１０９  揺動板部材
１１０    偏心カム、
【図１】
0003893232.tif 000002
【図２】
0003893232.tif 000003
【図３】
0003893232.tif 000004
【図４】
0003893232.tif 000005
【図５】
0003893232.tif 000006
【図６】
0003893232.tif 000007